(57)【特許請求の範囲】
【請求項１】
光信号を発信する操作器と、この操作器からの光信号を受ける受信部を備えて操作器からの動作指示を受けて動作する椅子型のマッサージ機において、受信部を肘掛の下方で且つ座部の両脇部分に位置するリクライニング自在な背もたれの回転軸付近に配設していることを特徴とするマッサージ機。
【請求項２】
光信号を発信する操作器と、この操作器からの光信号を受ける受信部を備えて操作器からの動作指示を受けて動作する椅子型のマッサージ機において、受信部の近傍に光信号を反射して受信部に導く壁を設けていることを特徴とするマッサージ機。
【発明の詳細な説明】
【０００１】
【発明の属する技術分野】
本発明は、操作器との信号授受を光信号によって行うマッサージ機に関するものである。
【０００２】
【従来の技術】
操作器が発信する光信号を受けて作動するマッサージ機として、実開平２−９６１４３号公報に示されたものがある。これは図１１に示すように、椅子型のマッサージ機におけるマッサージ機構を内蔵した背もたれ３上端のヘッドレスト２の両側に光信号の受信部１，１を配設して、椅子に座った使用者が操作器５のスイッチ８を操作すれば、操作器５の光信号の発信部４から出力された光信号が受信部１，１によって受信されるようにしたものである。図中６は肘掛７の部分に配された別のワイヤード型の操作器６であり、該操作器６によっても操作指示を与えることができるようになっている。
【０００３】
【発明が解決しようとする課題】
しかし、上記マッサージ機においては、光信号の受信部１，１が背もたれ３の部分にあるために、操作器５の発信部４と受信部１との間に人が介在することになる上に、背もたれ３（ヘッドレスト２）にはクッション性を高めたり汚れを防止したりするためにカバーが被せられることが多く、操作器５の発信部４から出力された光信号を受信部１で受信できないことになる可能性が高く、時には不自然な姿勢をとって、発信部４と受信部１とを対向させなくてはならない。
【０００４】
また、肘掛７のところにも操作器６があるために、光信号によるワイヤレスリモコンとなっている操作器５に不都合がある時は、肘掛７側の操作器６を使用することができるものの、２つの操作器５，６があることは、コスト的に問題がある。
【０００５】
本発明はこのような点に鑑みなされたものであって、その目的とするところは操作器からの光信号を確実に受信することができるマッサージ機を提供するにある。
【０００６】
【課題を解決するための手段】
しかして本発明は、光信号を発信する操作器と、この操作器からの光信号を受ける受信部を備えて操作器からの動作指示を受けて動作する椅子型のマッサージ機において、受信部を肘掛の下方で且つ座部の両脇部分に位置するリクライニング自在な背もたれの回転軸付近に配設していることに特徴を有している。操作器からの光信号を受信部で常に確実に受信することができる。
【０００７】
特に受信部をリクライニング自在な背もたれの回転軸付近に配設しているために、背もたれをリクライニングさせた時にも操作器と受信部との位置関係や距離が殆ど変化せず、リクライニング動作によって光信号の受信状態が変わってしまうことがないものである。
【０００８】
また、光信号を発信する操作器と、この操作器からの光信号を受ける受信部を備えて操作器からの動作指示を受けて動作する椅子型のマッサージ機において、受信部の近傍に光信号を反射して受信部に導く壁を設けたものも、確実に光信号を受信することができる。
【００１２】
【発明の実施の形態】
以下本発明を実施の形態の一例に基づいて説明すると、図１において、図中１２はマッサージ機構を内蔵している背もたれであり、この背もたれ１２は、座部１９と肘掛１３とを備えたフレーム９にリクライニング自在に取り付けられている。そして、光信号を発信する発信部を備えた操作器１０からの光信号を受信する受信部１４は、フレーム９における肘掛１３の下方で且つ座部１１の両脇に位置する部分に設けている。
【００１３】
このような位置に受信部１４を配設している図示例のマッサージ機においては、使用者が操作器１０を手に持って操作する時、操作器１０の発信部から出力された光信号は、使用者の腕や手に遮られることなく受信部１４に達する。特に、座部１１の両脇で且つリクライニング自在となっている背もたれ１２の回動軸付近に受信部１４を設けている図示例のものにおいては、図２から明らかなように、背もたれ３をリクライニングさせた状態においても、操作器１０と受信部１４との位置関係及び距離が殆ど変化しないために、安定した光信号授受を行うことができる。
【００１４】
図３は受信部１４の詳細を示しており、操作器１０からの光信号を受光センサー１４ａ側に向けて反射することになる壁１４ｂを受光面の近傍に設けているために、光信号の受信がさらに確実なものとなっている。図中１４ｃは透光性を備えた保護カバー、１４ｄは回路基板である。
【００１５】
ワイヤレスリモコンである操作器１０のほかにも操作器１５を設ける場合は、図４に示すように、受信部１４に隣接させて設ければよい。操作器１０を紛失した場合にも操作器１５によって動作指示を与えることができる。図中１６は表示部であり、該表示部１６によって動作状態を表示することで、操作器１０との間の送受信状態を確認することができる。
【００１６】
図５はワイヤレスリモコンである操作器１０を据え置き型の操作器としても使用することができるようにしたものを示しており、操作器１０を下面側にも発信部を備えたものとするとともに、肘掛１３の部分に操作器１０を納めることができる凹所１７を設け、さらに凹所１７の底部には、操作器１０の下面に設けた発信部からの光信号を受信部１４に向かわせることができる透光部１８を設けている。
【００１７】
図６及び図７は、上記の肘掛１３に設置した状態においても使用することができる操作器１０の具体例を示しており、上部の両サイドに手持ち使用時の時のための発信部１９，１９を設けるとともに、上部下面側に肘掛１３に設置して使用する時のための発信部２０を設けている。発信部１９においては、操作器１０を手に持ってスイッチ類を操作する時、受信部１４に向けて光信号を発信することができるように、発光素子を斜め下方に向けて設けている。
【００１８】
なお、操作器１０が液晶ディスプレーなどで構成された表示部２１を備えたものである場合には、この表示部２１付近や表示部２１の背面側に発信部１９，２０を設置するのが好ましい。操作器１０を持つ手が発信部１９，２０をふさいでしまう事態が生じるおそれをなくすことができる。受信部１４は、図８に示すように、座部１１の前端部にも左右方向に間隔をおいて複数個設けるようにしてもよい。
【００１９】
ところで、操作器１０が液晶ディスプレーで構成された表示部２１を備えたものでは、マッサージ動作についての調節機能を該表示部２１で表示すると同時に、現在実行中のマッサージ動作に対して有効である調節機能のみを表示するようにしておくとよい。たとえば、全調節機能を表示させた場合が図９（ａ）に示す状態であるとすると、図９（ｂ）が実際のマッサージ動作において有効な調節機能のみを表示させた状態である。無効な調節機能が表示されないために、無効な調節機能を選択指示して無視される場合の違和感をなくすことができる。
【００２０】
また、自動コースマッサージ動作と、手動指示によるマッサージ動作とを選択することができるようにしているマッサージ機においては、自動コースマッサージ動作の選択時にはたとえば、図１０（ｂ）に示すような表示を、手動指示によるマッサージ動作の選択時には図１０（ｃ）に示すような表示を行わせると、表示部２１の画面によって、どちらの動作状態を選択しているのかや有効な操作スイッチが一目でわかるものとなる上に、表示のための部材やスイッチ類の数を少なくすることができる。
【００２１】
【発明の効果】
以上のように本発明においては、受信部を肘掛の下方で且つ座部の両脇部分に配設しているために、操作器からの光信号は使用者によって遮られることなく受信部に到達するものであり、光信号を受信部で常に確実に受信することができる。
【００２２】
特に受信部をリクライニング自在な背もたれの回転軸付近に配設しているために、背もたれをリクライニングさせた時にも操作器と受信部との位置関係や距離が殆ど変化しないために、リクライニング動作によって光信号の受信状態が変わってしまうことがなく、安定した信号授受を行うことができる。
【００２３】
また、受信部の近傍に光信号を反射して受信部に導く壁を設けたものでも、確実に光信号を受信することができる。
【図面の簡単な説明】
【図１】本発明の実施の形態の一例の斜視図である。
【図２】同上の使用状態を示すもので、（ａ）（ｂ）は共に側面図である。
【図３】同上の受信部を示すもので、（ａ）は破断背面図、（ｂ）は拡大断面図である。
【図４】同上の他例の斜視図である。
【図５】同上の更に他例を示すもので、（ａ）は側面図、（ｂ）は部分斜視図である。
【図６】操作器の一例の正面図である。
【図７】同上の背面図である。
【図８】別の例の斜視図である。
【図９】（ａ）（ｂ）は操作器の表示部における表示例の説明図である。
【図１０】（ａ）（ｂ）（ｃ）は操作器の表示部における他の表示例の説明図である。
【図１１】従来例を示すもので、（ａ）は斜視図、（ｂ）は操作器の斜視図である。
【符号の説明】
１０  操作器
１４  受信部
【図１】
0003565022.tif 000002
【図２】
0003565022.tif 000003
【図３】
0003565022.tif 000004
【図４】
0003565022.tif 000005
【図５】
0003565022.tif 000006
【図６】
0003565022.tif 000007
【図７】
0003565022.tif 000008
【図８】
0003565022.tif 000009
【図９】
0003565022.tif 000010
【図１０】
0003565022.tif 000011
【図１１】
0003565022.tif 000012